(57)【要約】【課題】コンテンツの取得を制限するのに必要な手間を削減可能にする技術を提供する。【解決手段】複数の無線端末と接続可能な表示装置１０５であって、表示画面を表示する表示部２０６と、ネットワークを介して接続されるコンテンツサーバから、所定の条件をクリアしなければ取得できない第１のコンテンツを取得する権限を有する第１の無線端末が接続されているかを識別する識別部２０３と、識別部２０３により第１の無線端末が接続されていることが識別された場合に、第１のコンテンツを取得するための入力を受け付ける第１の表示画面を表示部２０６に表示させる表示制御部２０５とを有する。【選択図】図２
2020017997.tif 000002
【特許請求の範囲】
【請求項１】
所定の条件を満たさなければ取得できない第１のコンテンツをネットワークを介して接続されるコンテンツサーバから取得する権限を有する第１の無線端末と無線通信で接続可能であり、さらに前記第１のコンテンツを取得する権限を有さない第２の無線端末と無線通信で接続可能な表示装置であって、
表示画面を表示する表示部と、
前記第１の無線端末が前記表示装置に接続されているか、および前記第２の無線端末が前記表示装置に接続されているかを識別する識別部とを有し、
前記識別部により、前記第１の無線端末が前記表示装置に接続されていることが識別された場合に、前記第１のコンテンツを取得するための入力を受け付ける第１の表示画面を前記表示部に表示し、
前記識別部により、前記第１の無線端末が前記表示装置に接続されておらず前記第２の無線端末が前記表示装置に接続されていることが識別された場合に、前記第１のコンテンツを取得するための入力を受け付けず前記所定の条件を満たさなくても取得できる第２のコンテンツを取得するための入力を受け付ける第２の表示画面を前記表示部に表示し、
前記識別部により、前記第１の無線端末と前記第２の無線端末との両者が前記表示装置に接続されていることが識別された場合に、前記第１の表示画面を前記表示部に表示し、
前記第１のコンテンツを取得するための入力を受け付ける前記第１の表示画面と、前記第１のコンテンツを取得するための入力を受け付けず前記所定の条件を満たさなくても取得できる前記第２のコンテンツを取得するための入力を受け付ける前記第２の表示画面とは、少なくともコンテンツのサムネイル画面の一部が相違する、
表示装置。
【請求項２】
請求項１に記載の表示装置であって、
前記第１のコンテンツの取得および前記第２のコンテンツの取得には、コンテンツの視聴のための取得が含まれる、
表示装置。
【請求項３】
請求項１に記載の表示装置であって、
前記第１のコンテンツの取得および前記第２のコンテンツの取得には、コンテンツの購入のための取得が含まれる、
表示装置。
【請求項４】
所定の条件を満たさなければ取得できない第１のコンテンツをネットワークを介して接続されるコンテンツサーバから取得する権限を有する第１の無線端末と無線通信で接続可能であり、さらに前記第１のコンテンツを取得する権限を有さない第２の無線端末と無線通信で接続可能な表示装置であって、
表示画面を表示する表示部と、
前記表示装置に操作指示を送信した無線端末が、前記第１の無線端末であるか前記第２の無線端末であるかを識別する識別部とを有し、
前記識別部により、前記表示装置に前記操作指示を送信した無線端末が前記第１の無線端末であると識別された場合に、前記第１のコンテンツを取得するための入力を受け付ける第１の表示画面を前記表示部に表示し、
前記識別部により、前記表示装置に前記操作指示を送信した無線端末が前記第２の無線端末であると識別された場合に、前記第１のコンテンツを取得するための入力を受け付けず前記所定の条件を満たさなくても取得できる第２のコンテンツを取得するための入力を受け付ける第２の表示画面を前記表示部に表示し、
前記第１のコンテンツを取得するための入力を受け付ける前記第１の表示画面と、前記第１のコンテンツを取得するための入力を受け付けず前記所定の条件を満たさなくても取得できる前記第２のコンテンツを取得するための入力を受け付ける前記第２の表示画面とは、少なくともコンテンツのサムネイル画面の一部が相違する、
表示装置。
【請求項５】
請求項４に記載の表示装置であって、
前記第１のコンテンツの取得および前記第２のコンテンツの取得には、コンテンツの視聴のための取得が含まれる、
表示装置。
【請求項６】
請求項４に記載の表示装置であって、
前記第１のコンテンツの取得および前記第２のコンテンツの取得には、コンテンツの購入のための取得が含まれる、
表示装置。
【請求項７】
所定の条件を満たさなければ取得できない第１のコンテンツをネットワークを介して接続されるコンテンツサーバから取得する権限を有する第１の無線端末と無線通信で接続可能であり、前記第１のコンテンツを取得する権限を有さない第２の無線端末と無線通信で接続可能であり、さらに前記第１のコンテンツを取得する権限も前記所定の条件を満たさなくても取得できる第２のコンテンツを取得する権限も有さない第３の無線端末と無線通信で接続可能な表示装置であって、
表示画面を表示する表示部と、
前記第１の無線端末が前記表示装置に接続されているか、前記第２の無線端末が前記表示装置に接続されているか、および前記第３の無線端末が前記表示装置に接続されているか、を識別する識別部を有し、
前記識別部により、前記第１の無線端末が前記表示装置に接続されていることが識別された場合に、前記第１のコンテンツを取得するための入力を受け付ける第１の表示画面を前記表示部に表示し、
前記識別部により、前記第１の無線端末が前記表示装置に接続されておらず前記第２の無線端末が前記表示装置に接続されていることが識別された場合に、前記第１のコンテンツを取得するための入力を受け付けず前記所定の条件を満たさなくても取得できる前記第２のコンテンツを取得するための入力を受け付ける第２の表示画面を前記表示部に表示し、
前記識別部により、前記第１の無線端末も前記第２の無線端末も前記表示装置に接続されておらず、前記第３の無線端末が前記表示装置に接続されていることが識別された場合に、前記第１のコンテンツを取得するための入力も前記所定の条件を満たさなくても取得できる前記第２のコンテンツを取得するための入力も受け付けない第３の表示画面を前記表示部に表示し、
前記第１のコンテンツを取得するための入力を受け付ける前記第１の表示画面と、前記第１のコンテンツを取得するための入力を受け付けず前記所定の条件を満たさなくても取得できる前記第２のコンテンツを取得するための入力を受け付ける前記第２の表示画面とは、少なくともコンテンツのサムネイル画面の一部が相違する、
表示装置。
【請求項８】
請求項７に記載の表示装置において、
前記識別部は、リモコン機能を有する前記無線端末が複数、前記表示装置に接続されている場合に、最初に前記表示装置に接続された前記リモコン機能を有する前記無線端末を前記第１の無線端末として認識し、２番目以降であって所定登録順位以前に前記表示装置に接続された前記リモコン機能を有する前記無線端末を前記第２の無線端末として認識し、前記所定登録順位より後に前記表示装置に接続された前記リモコン機能を有する前記無線端末を前記第３の無線端末として認識する、
表示装置。
【請求項９】
請求項７または請求項８に記載の表示装置であって、
前記第１のコンテンツの取得および前記第２のコンテンツの取得には、コンテンツの視聴のための取得が含まれる、
表示装置。
【請求項１０】
請求項７または請求項８に記載の表示装置であって、
前記第１のコンテンツの取得および前記第２のコンテンツの取得には、コンテンツの購入のための取得が含まれる、
表示装置。
【発明の詳細な説明】
【技術分野】
【０００１】
本発明は、表示装置および表示システムならびに表示方法に関する。
【背景技術】
【０００２】
外部サーバに記憶されている映像情報を、要求に応じてユーザの端末（スマートフォン、タブレット端末、テレビ、パーソナルコンピュータなど）に配信するＶＯＤ（Ｖｉｄｅｏ  Ｏｎ  Ｄｅｍａｎｄ）サービスが知られている。
【０００３】
特開２００７−２６６７３０号公報（特許文献１）には、「制御装置は、無線端末装置を識別するための識別情報と出力装置に出力するべき視聴データの出力許否が示された出力許容情報とを対応づけながら記憶する記憶部と、通信中の無線端末装置からその識別情報を取得する識別情報取得部と、記憶部に記憶された出力許容情報のうち、識別情報取得部によって取得された識別情報に対応する出力許容情報にしたがって、出力装置に視聴データを出力させる出力制御部と、を備える」と記載されている。
【先行技術文献】
【特許文献】
【０００４】
【特許文献１】特開２００７−２６６７３０号公報
【発明の概要】
【発明が解決しようとする課題】
【０００５】
特許文献１に記載されている技術では、コンテンツの取得を制限するために、無線端末装置の識別情報と出力許容情報とを手作業で入力する手間が発生していた。
【０００６】
本発明の目的は、コンテンツ取得制限を行う手間を削減可能にする技術を提供することである。
【課題を解決するための手段】
【０００７】
本願において開示される発明のうち、代表的なものの概要を簡単に説明すれば、次の通りである。
【０００８】
本発明の一実施の形態の表示装置は、複数の無線端末と接続可能な表示装置であって、表示画面を表示する表示部を有する。また、ネットワークを介して接続されるコンテンツサーバから、所定の条件をクリアしなければ取得できない第１のコンテンツを取得する権限を有する第１の無線端末が接続されているかを識別する識別部を有する。また、前記識別部により前記第１の無線端末が接続されていることが識別された場合に、前記第１のコンテンツを取得するための入力を受け付ける第１の表示画面を前記表示部に表示させる表示制御部を有する。
【０００９】
また、他の実施の形態では、複数の無線端末と、前記無線端末とネットワークを介して接続される表示装置と、前記表示装置とネットワークを介して接続されるコンテンツサーバと、を有する表示システムであって、前記表示装置は、表示画面を表示する表示部と、ネットワークを介して接続される前記コンテンツサーバから、所定の条件をクリアしなければ取得できない第１のコンテンツを取得する権限を有する第１の無線端末が接続されているかを識別する識別部と、前記識別部により前記第１の無線端末が接続されていることが識別された場合に、前記第１のコンテンツを取得するための入力を受け付ける第１の表示画面を前記表示部に表示させる表示制御部とを有する。
【００１０】
また、他の実施の形態では、複数の無線端末と接続可能な表示装置における表示方法であって、識別部が、ネットワークを介して接続されるコンテンツサーバから、所定の条件をクリアしなければ取得できない第１のコンテンツを取得する権限を有する第１の無線端末が接続されているかを識別する識別ステップを有する。また、表示制御部が、前記識別部により前記第１の無線端末が接続されていることが識別された場合に、前記第１のコンテンツを取得するための入力を受け付ける第１の表示画面を表示部に表示させる表示制御ステップを有する。
【発明の効果】
【００１１】
本願において開示される発明のうち、代表的なものによって得られる効果を簡単に説明すれば以下のとおりである。
【００１２】
本発明の一実施の形態によれば、コンテンツの取得を制限するのに必要な手間を削減できる。
【図面の簡単な説明】
【００１３】
【図１】実施の形態１における表示システムの構成例の概要を示す図である。
【図２】実施の形態１における表示システムが有する表示装置の構成例の概要を示す図である。
【図３】実施の形態１における、表示装置が有する表示部に表示される表示画面の例を示す図である。（ａ）は、親端末のみが表示装置に接続されている場合の表示画面の例を示し、（ｂ）は、子端末のみが表示装置に接続されている場合の表示画面の例を示し、（ｃ）は、親端末と子端末とが表示装置に接続されている場合の表示画面の例を示す。
【図４】実施の形態１における全体処理の概要を示す図である。
【図５】実施の形態２における、表示装置が有する表示部に表示される表示画面の例を示す図である。（ａ）は、第２子端末のみが表示装置に接続されている場合の表示画面の例を示し、（ｂ）は、第１子端末と第２子端末とが表示装置に接続されている場合の表示画面の例を示し、（ｃ）は、親端末と第１子端末と第２子端末とが表示装置に接続されている場合の表示画面の例を示す。
【図６】実施の形態２における全体処理の概要を示す図である。
【発明を実施するための形態】
【００１４】
以下、本発明の実施の形態を図面に基づいて詳細に説明する。なお、実施の形態を説明するための全図において、同一部には原則として同一の符号を付し、その繰り返しの説明は省略する。
【００１５】
（実施の形態１）
＜システム構成＞
図１は、実施の形態１における表示システム１０の構成例の概要を示す図である。図１に示されるように、表示システム１０は、複数の無線端末（スマートフォン、タブレット端末など）１０１と、表示装置（テレビ、パーソナルコンピュータなど）１０５と、コンテンツサーバ１０４と、リモコン１０３とを有する。各無線端末１０１とコンテンツサーバ１０４と表示装置１０５とは、無線通信（ＷｉＦｉ（登録商標）（Ｗｉｒｅｌｅｓｓ  Ｆｉｄｅｌｉｔｙ）１０２や、ＩＥＥＥ．１１ｘなどの各種無線ＬＡＮ（Ｌｏｃａｌ  Ａｒｅａ  Ｎｅｔｗｏｒｋ）や、ＮＦＣ（Ｎｅａｒ  Ｆｉｅｌｄ  Ｃｏｍｍｕｎｉｃａｔｉｏｎ）や、Ｂｌｕｅｔｏｏｔｈ（登録商標）や、有線ＬＡＮなど）などを介して相互に接続される。また、リモコン１０３は、表示装置１０５とネットワーク（無線通信）を介して接続される。
【００１６】
コンテンツサーバ１０４は、インターネット環境においてコンテンツ（例えば、映像（動画）を視聴するための視聴データや、ゲームなどをプレーするためのアプリケーションや、書籍を閲覧するための画像データなど）を配信するサーバシステムである。コンテンツには、所定の条件をクリアしなければ取得できないコンテンツである第１のコンテンツ（例えば、１８歳未満のユーザへの視聴を禁止するコンテンツや、課金しなければ視聴できないコンテンツ）がある。また、コンテンツには、所定の条件をクリアしなくても自由に取得できる第２のコンテンツがある。そして、図１に示されるような環境設定により、各無線端末１０１や表示装置１０５によって取得された各種コンテンツが表示装置１０５で視聴できる。
【００１７】
各無線端末１０１は、表示装置１０５を介すことなく、コンテンツサーバ１０４に接続可能である。また、各無線端末１０１は、表示装置１０５へコンテンツの取得を指示する。そして、コンテンツの取得を指示された表示装置１０５は、コンテンツサーバ１０４からコンテンツを取得する。これによって、実際にコンテンツを取得するのは表示装置１０５であるため、コンテンツを取得する際に各無線端末１０１に処理負担がかからない構成となっている。
【００１８】
また、各無線端末１０１には、予め専用アプリケーション（表示装置１０５のリモコンとして無線端末１０１を利用可能にするためのアプリケーション）がダウンロードされている。そして、無線端末１０１の専用アプリケーションが実行された後に、無線端末１０１は、ＳＳＩＤ（Ｓｅｒｖｉｃｅ  Ｓｅｔ  Ｉｄｅｎｔｉｆｉｅｒ）と、パスワードと、後述する表示装置１０５の表示モードとの入力を受け付ける。これによって、無線端末１０１は、無線通信１０２を介して表示装置１０５に接続し、表示装置１０５との間で通信可能になる。そして、無線端末１０１は、リモコンとして表示装置１０５を操作可能になる。
【００１９】
ここで、表示装置１０５の表示モードとしては、フルアクセスモードと、閲覧モードとがある。フルアクセスモードが設定されている場合、表示装置１０５は、第１のコンテンツを取得するための入力と、第２のコンテンツを取得するための入力とを受け付ける第１の表示画面（後述、図３（ａ）、（ｃ））を表示する。一方、閲覧モードが設定されている場合、表示装置１０５は、第１のコンテンツを取得するための入力を受け付けず、第２のコンテンツを取得するための入力を受け付ける第２の表示画面（後述、図３（ｂ））を表示する。
【００２０】
コンテンツサーバ１０４から第１のコンテンツを取得する権限を有する第１の無線端末（以下、親端末と呼ぶ場合がある）が接続されている場合、表示装置１０５の表示モードは、フルアクセスモードが設定される。一方で、親端末が接続されておらず、コンテンツサーバ１０４から第１のコンテンツを取得する権限を有さない第２の無線端末（以下、子端末と呼ぶ場合がある）が接続されている場合、表示装置１０５の表示モードは、閲覧モードが設定される。
【００２１】
無線端末１０１の専用アプリケーションが実行された後に、各無線端末１０１が、ＳＳＩＤとパスワードと表示モードとの入力を受け付けることで、表示装置１０５の管理下にある無線端末１０１を識別するための無線端末ＩＤごとの表示モードが表示装置１０５に登録される。ここで、無線端末１０１を識別するための無線端末ＩＤとしては、無線端末のＩＰ（Ｉｎｔｅｒｎｅｔ  Ｐｒｏｔｏｃｏｌ）アドレスなどである。なお、無線端末ＩＤの入力をユーザから受け付けるようにしても良い。
【００２２】
無線端末１０１は、入力を受け付けた無線端末ＩＤと表示モードとを表示装置１０５へ送信する。その後、表示装置１０５は、無線端末１０１から送信された無線端末ＩＤと表示モードとを対応付けて記憶する。これによって、無線端末を識別するための無線端末ＩＤごとの表示モードが表示装置１０５に登録される。
【００２３】
例えば、家庭内において、自宅に設置される表示装置１０５には、両親が所有する無線端末１０１の無線端末ＩＤと表示モード（フルアクセスモード）とが登録され、子供が所有する無線端末１０１の無線端末ＩＤと表示モード（閲覧モード）とが登録される。
【００２４】
無線端末１０１は、自らに記憶されているコンテンツを表示装置１０５に表示させるための入力を受け付ける。コンテンツを表示させるための入力を受け付けると、無線端末１０１は、コンテンツが存在する所在地を特定するためのＵＲＬ（Ｕｎｉｆｏｒｍ  Ｒｅｓｏｕｒｃｅ  Ｌｏｃａｔｏｒ）や、無線端末１０１のアカウント情報（電話番号とパスワード）や、コンテンツの購入履歴を含む要求信号を表示装置１０５へ送信する。
【００２５】
表示装置１０５は、無線端末１０１から送信される要求信号に含まれるＵＲＬにアクセスすることでコンテンツを取得し、取得したコンテンツを表示（再生）する。なお、例えば、コンテンツが課金をしなければ取得できない場合、表示装置１０５は、要求信号に含まれるアカウント情報や購入履歴などを用いてコンテンツサーバ１０４にアクセスし、対応するコンテンツを取得する。
【００２６】
表示装置１０５は、表示装置１０５が設置されている場所の近傍（例えば、表示装置１０５から１０メートル以内の範囲）に無線端末１０１が存在する場合に、無線端末１０１と無線通信１０２を介して接続される。例えば、外出していたユーザが帰宅することで、帰宅したユーザが所有する無線端末１０１が、表示装置１０５の所定範囲内に存在するようになると、無線通信１０２を介して無線端末１０１と表示装置１０５とが接続される。
【００２７】
表示装置１０５は、接続された無線端末１０１の無線端末ＩＤを無線端末１０１から取得する。そして、表示装置１０５は、無線端末１０１から取得した無線端末ＩＤと対応する、予め登録されている表示モードを参照し、参照した表示モードに基づく表示画面を表示する。
【００２８】
＜表示装置構成＞
図２は、実施の形態１における表示システムの表示装置１０５の構成例の概要を示す図である。図２に示されるように、表示装置１０５は、通信部２０１と、認証部２０２と、識別部２０３と、登録部２０４と、表示制御部２０５と、表示部２０６とを有する。
【００２９】
通信部２０１は、無線端末１０１から送信される要求信号を受信し、受信した要求信号に応じた処理を実行する。コンテンツの取得を指示する要求信号を受信した場合、通信部２０１は、無線通信を介してコンテンツサーバ１０４にアクセスし、コンテンツを取得する。また、コンテンツの視聴を指示する要求信号を受信した場合、通信部２０１は、無線通信を介してコンテンツサーバ１０４からコンテンツを取得し、取得したコンテンツを再生する。なお、コンテンツの視聴を指示する要求信号を受信した場合、通信部２０１は、自らに記憶されているコンテンツを再生するようにしても良い。
【００３０】
認証部２０２は、無線端末１０１から送信されるＳＳＩＤとパスワードとに基づき、無線端末１０１を認証する。認証部２０２は、認証した無線端末１０１の無線端末ＩＤと表示モードとを、登録部２０４に入力する。
【００３１】
登録部２０４は、認証部２０２により認証された無線端末１０１の端末情報（無線端末ＩＤと、表示モード）を登録する。これによって、リモコンとして利用できる親端末の端末情報が登録される。また、表示装置１０５のリモコンとして登録をした無線端末１０１を自動的に、その表示装置１０５に対する親端末として登録できる。なお、親端末として登録可能な台数は、１台に限らず、複数であっても良い。
【００３２】
識別部２０３は、ネットワークを介して接続されるコンテンツサーバ１０４から第１のコンテンツを取得する権限を有する親端末が接続されているかを識別する。より詳細には、識別部２０３は、現在接続されている無線端末１０１の無線端末ＩＤが、登録部２０４によって、親端末（表示モードがフルアクセスモード）として登録されているか否かを判定する。これによって、識別部２０３は、親端末として登録されている無線端末１０１を識別する。すなわち、識別部２０３は、表示モードがフルアクセスモードである無線端末１０１を親端末として認識する。識別部２０３は、親端末として登録されていると識別した無線端末ＩＤを表示制御部２０５に入力する。
【００３３】
親端末として複数の無線端末１０１が登録されている場合、認証部２０２は、登録されている無線端末１０１の優先順位を決定する。例えば、認証部２０２は、親端末として登録されている複数の無線端末１０１のうち、最初に登録された無線端末１０１の無線端末ＩＤを、親端末の無線端末ＩＤとして登録部２０４に入力する。
【００３４】
無線端末１０１には、親端末と、コンテンツサーバ１０４からコンテンツを取得する権限を有さない第２の無線端末とがある。そして、識別部２０３は、親端末が接続されておらず、第２の無線端末である子端末が接続されているかを識別する。また、識別部２０３は、表示装置１０５に操作指示を送信した無線端末１０１を識別する。
【００３５】
表示制御部２０５は、識別部２０３の識別結果に応じた表示モードを設定する。より詳細には、識別部２０３により親端末が接続されておらず子端末が接続されていることが識別された場合に、表示制御部２０５は、表示モードとして閲覧モードを設定する。一方、識別部２０３が、親端末が接続されていることを認識した場合、表示制御部２０５は、表示モードとしてフルアクセスモードを設定する。
【００３６】
また、表示制御部２０５は、識別部２０３により親端末と子端末とが接続されていることが識別された場合に、表示モードとしてフルアクセスモードを設定する。そして、表示制御部２０５は、フルアクセスモードに基づく表示画面（後述、図３（ａ）、（ｃ））を表示部２０６に表示させる。
【００３７】
なお、表示制御部２０５は、フルアクセスモードに基づくサムネイル画面を表示画面の表示部２０６の一部に表示するようにしても良い。また、無線端末１０１から送信される表示画面の切替えを要求する要求信号を、表示装置１０５が受信した場合に、表示制御部２０５が、フルアクセスモードに基づく表示画面（後述、図３（ａ）、（ｃ））を表示部２０６に表示させるようにしても良い。
【００３８】
また、表示制御部２０５は、操作指示を送信した無線端末１０１が子端末であると識別された場合に、表示モードとして閲覧モードを設定する。そして、表示制御部２０５は、閲覧モードに基づく表示画面（後述、図３（ｂ））を表示部２０６に表示させる。
【００３９】
なお、表示制御部２０５は、閲覧モードに基づくサムネイル画面を表示画面の表示部２０６の一部に表示するようにしても良い。また、無線端末１０１から送信される表示画面の切替えを要求する要求信号を表示装置１０５が受信した場合に、表示制御部２０５が、閲覧モードに基づく表示画面（後述、図３（ｂ））を表示部２０６に表示させるようにしても良い。
【００４０】
上述したように、接続されている無線端末ＩＤの表示モードに応じて、表示制御部２０５が、表示モード（フルアクセスモード、閲覧モード）を切り替える。これによって、親端末以外の無線端末１０１が、コンテンツの新規取得や新規サービス契約等を行うことを禁止できる。
【００４１】
以下、フルアクセスモードの表示画面と閲覧モードの表示画面とについて、図３（ａ）〜（ｃ）を用いて詳細に説明する。図３（ａ）〜（ｃ）は、実施の形態１における、表示装置１０５の表示部２０６に表示される表示画面の例を示す図である。（ａ）は、親端末４０１のみが表示装置１０５に接続されている場合の表示画面の例を示し、（ｂ）は、子端末４０２のみが表示装置１０５に接続されている場合の表示画面の例を示し、（ｃ）は、親端末４０１と子端末４０２とが表示装置１０５に接続されている場合の表示画面の例を示す。
【００４２】
図３（ａ）、（ｃ）に示されるように、親端末４０１、または親端末４０１および子端末４０２が接続されている場合、表示モードとして、フルアクセスモードが設定され、表示装置１０５は、フルアクセスモードに基づく第１の表示画面を表示部２０６に表示する。フルアクセスモードが設定されている場合、表示装置１０５は、第１のコンテンツをコンテンツサーバ１０４から取得することを指示する入力を受け付ける第１コンテンツ取得ボタン３０１と、子端末４０２に記憶されている第２のコンテンツをコンテンツサーバ１０４から取得することを指示する入力を受け付ける第２コンテンツ取得ボタン３０２と、を含む第１の表示画面を表示部２０６に表示する。
【００４３】
親端末４０１または子端末４０２を介して第２コンテンツ取得ボタン３０２が入力を受け付けると、表示装置１０５は、親端末４０１または子端末４０２に記憶されている第２のコンテンツ（親端末４０１または子端末４０２がコンテンツサーバ１０４から取得した第２のコンテンツ）を、コンテンツサーバ１０４から取得する。より詳細には、親端末４０１または子端末４０２を介して第２コンテンツ取得ボタン３０２が入力を受け付けると、操作されている親端末４０１または子端末４０２は、取得したいコンテンツが記憶されているウェブサイトのアドレス（ＵＲＬ）を表示装置１０５に送信する。その後、表示装置１０５は、送信されたウェブサイトのアドレスにアクセスすることで、コンテンツサーバ１０４から第２のコンテンツを取得する。そして、表示装置１０５は、コンテンツサーバ１０４から取得した第２のコンテンツを表示部２０６に表示する。
【００４４】
また、図３（ａ）、（ｃ）に示されるように、親端末４０１、または親端末４０１および子端末４０２が接続されている場合、表示装置１０５は、親端末４０１を介して第１コンテンツ取得ボタン３０１が入力を受け付けることで、第１のコンテンツ（親端末４０１には記憶されていないコンテンツ）をコンテンツサーバ１０４から取得できる。より詳細には、親端末４０１を介して第１コンテンツ取得ボタン３０１が入力を受け付けると、親端末４０１は、取得したい第１のコンテンツが記憶されているウェブサイトのアドレス（ＵＲＬ）と、親端末４０１の無線端末ＩＤとパスワードとを表示装置１０５に送信する。表示装置１０５は、親端末４０１から送信された無線端末ＩＤとパスワードとを用いて、ウェブサイトのアドレスにアクセスすることで、コンテンツサーバ１０４から第１のコンテンツを取得する。そして、表示装置１０５は、取得した第１のコンテンツを表示部２０６に表示する。
【００４５】
また、表示装置１０５はコンテンツサーバ１０４から取得した第１のコンテンツを親端末４０１に送信する。そして、親端末４０１は、取得した第１のコンテンツを記憶する。なお、表示装置１０５が、コンテンツサーバ１０４から取得した第１のコンテンツを記憶するようにしても良い。
【００４６】
また、親端末４０１のみが表示装置１０５に接続されている場合、ペアレンタルコントロールがオフされる。そして、表示装置１０５の表示制御部２０５は、子供に悪影響を及ぼす可能性があるサービスやコンテンツ（例えば、性的表現や暴力的表現などを含むサービスやコンテンツ）が表示部２０６に表示されるようにする。これによって、親端末４０１を表示装置１０５に接続するだけで、ペアレンタルコントロールをオフにできる。
【００４７】
図３（ｂ）に示されるように、子端末４０２のみが表示装置１０５に接続されている場合、ペアレンタルコントロールがオンされる。そして、表示装置１０５の表示制御部２０５は、子供に悪影響を及ぼす可能性があるサービスやコンテンツが表示部２０６に表示されないようにする。これによって、子端末４０２を表示装置１０５に接続するだけで、ペアレンタルコントロールをオンにし、視聴制限できる。
【００４８】
また、図３（ｂ）に示されるように、子端末４０２のみが接続されている場合、閲覧モードに基づく第２の表示画面が表示される。そして、表示装置１０５は、子端末４０２に記憶されている第２のコンテンツをコンテンツサーバ１０４から取得することを指示する入力を受け付ける第２コンテンツ取得ボタン３０２のみを含む第２の表示画面を表示部２０６に表示する。この場合、表示装置１０５は、子端末４０２に記憶されている第２のコンテンツを、コンテンツサーバ１０４から取得できる。
【００４９】
一方で、閲覧モードが設定されている場合、表示画面には、第１コンテンツ取得ボタン３０１が含まれない。そのため、閲覧モードが設定されている場合、表示装置１０５は、第１のコンテンツをコンテンツサーバ１０４から取得するための入力を受け付けることができない。
【００５０】
なお、表示装置１０５は、無線端末１０１に、閲覧モードに基づく第２の表示画面を表示させるようにしても良い。この場合、無線端末１０１は、表示装置１０５に表示モードまたは無線端末１０１の接続状況を要求する。そして、無線端末１０１は、表示装置１０５から取得した表示モードまたは、無線端末１０１の接続状況から特定される表示モードに基づく表示画面を表示する。さらに、この場合、親端末と子端末とに同じ表示モードに基づく表示画面を表示させてもいい。また、親端末については、フルアクセスモードに基づく第１の表示画面を表示させ、子端末については閲覧モードに基づく第２の表示画面を表示させても良い。
【００５１】
＜全体処理＞
図４は、実施の形態１における全体処理の概要を示す図である。
【００５２】
まず、Ｓ４０１にて、無線端末１０１と表示装置１０５との間の通信が確立する。これによって、無線端末１０１が、表示装置１０５に接続される。
【００５３】
次に、Ｓ４０２にて、表示装置１０５の識別部２０３は、Ｓ４０１にて接続された無線端末１０１の無線端末ＩＤが登録部２０４によって親端末として登録されているか否かを判定する。識別部２０３が、無線端末ＩＤが親端末として登録されていないと判定する場合（Ｓ４０２−Ｎｏ）、Ｓ４０４へ進む。一方、識別部２０３が、無線端末ＩＤが親端末として登録されていると判定する場合（Ｓ４０２−Ｙｅｓ）、Ｓ４０３へ進む。
【００５４】
次に、Ｓ４０３にて、表示制御部２０５は、表示モードとしてフルアクセスモードを設定する。
【００５５】
Ｓ４０２にてＮｏだった場合、Ｓ４０４にて、表示制御部２０５は、表示モードとして閲覧モードを設定する。
【００５６】
＜実施の形態１の効果＞
以上説明した実施の形態１によれば、表示制御部２０５が、識別部２０３により第１の無線端末が接続されていることが識別された場合に、第１のコンテンツを取得するための入力を受け付ける第１の表示画面を表示部２０６に表示させることで、コンテンツの取得を制限するのに必要な手間が減少する。すなわち、無線端末１０１の専用アプリケーションが実行された後に、ＳＳＩＤとパスワードと表示モードである旨を設定するだけで、コンテンツの取得を制限できる。さらに、ユーザ側におけるルール設定の単純化と、利便性向上を図ることができる。
【００５７】
（実施の形態２）
実施の形態２の無線端末１０１には、コンテンツサーバ１０４から第１のコンテンツおよび第２のコンテンツを取得する権限を有する第１の無線端末と、コンテンツサーバ１０４から第１のコンテンツを取得する権限を有さず、第２のコンテンツを取得する権限を有する第２の無線端末（以下、第１子端末と呼ぶ場合がある）と、第１のコンテンツおよび第２のコンテンツを取得する権限を有さない第３の無線端末（以下、第２子端末と呼ぶ場合がある）とがある点で、実施の形態１と異なる。なお、親端末５０１は、例えば、両親により所有される。また、第１子端末５０２は、例えば、１２歳以上の子供や青年により所有される。また、第２子端末は、例えば、１２歳未満の子供により所有される。
【００５８】
また、実施の形態２では、表示モードとして、フルアクセスモードと閲覧モードとに加え、さらに、第１のコンテンツと第２のコンテンツとの取得を禁止するマスクモードがある点で、実施の形態１と異なる。
【００５９】
また、実施の形態２の表示制御部２０５は、識別部２０３により親端末および第１子端末が接続されておらず、第２子端末が接続されていることが識別された場合に、第１のコンテンツを取得するための入力と、所定の条件をクリアしなくても取得できる第２のコンテンツを取得するための入力とを受け付けない表示画面を表示部２０６に表示させる点で異なる。以下、本実施の形態１と異なる点を主に説明する。
【００６０】
＜表示画面＞
図５は、実施の形態２における、表示装置１０５の表示部２０６に表示される表示画面の例を示す図である。（ａ）は、第２子端末５０３のみが表示装置１０５に接続されている場合の表示画面の例を示し、（ｂ）は、第１子端末５０２と第２子端末５０３とが表示装置１０５に接続されている場合の表示画面の例を示し、（ｃ）は、親端末５０１と第１子端末５０２と第２子端末５０３とが表示装置１０５に接続されている場合の表示画面の例を示す。
【００６１】
図５（ａ）に示されるように、第２子端末５０３のみが表示装置１０５に接続されている場合、マスクモードが設定され、さらに、ペアレンタルコントロールがオンされる。そして、マスクモードが設定されている場合、表示装置１０５は、第１のコンテンツを取得するための入力を受け付ける第１コンテンツ取得ボタン３０１と、所定の条件をクリアしなくても取得できる第２のコンテンツを取得するための入力を受け付ける第２コンテンツ取得ボタン３０２とを含まない表示画面を表示する。
【００６２】
また、無線端末（親端末５０１と第１子端末５０２と第２子端末５０３とのいずれか）１０１が一台だけ表示装置１０５に接続されている場合には、表示装置１０５の表示部２０６は、接続されている無線端末１０１に記憶されている個人スケジュール５１２を表示する。図５（ａ）に示される例では、表示装置１０５の表示部２０６は、第２子端末５０３に記憶されている個人スケジュール５１２を表示する。
【００６３】
次に、図５（ｂ）に示されるように、親端末５０１が接続されておらず、第１子端末５０２が接続されている場合には、閲覧モードが設定される。また、ペアレンタルコントロールがオンされる。
【００６４】
また、二台以上の無線端末１０１が表示装置１０５に接続されている場合には、表示装置１０５の表示部２０６は、第２子端末５０３に記憶されている個人スケジュール５１２を表示する。なお、二台以上の無線端末１０１が表示装置１０５に接続されている場合には、表示装置１０５の表示部２０６は、親端末５０１の所有者と第１子端末５０２の所有者と第２子端末５０３の所有者とで共有される共有スケジュール５１１のみを表示するようにしても良い。また、第１子端末５０２と第２子端末５０３とが接続されている場合には、表示装置１０５の表示部２０６は、共有スケジュール５１１と、第２子端末５０３に記憶されている個人スケジュール５１２とを表示するようにしても良い。
【００６５】
次に、図５（ｃ）に示されるように、親端末５０１が表示装置１０５に接続されている場合には、フルアクセスモードが設定される。
【００６６】
また、親端末５０１と第１子端末５０２と第２子端末５０３とが表示装置１０５に接続されている場合には、表示装置１０５の表示部２０６は、共有スケジュール５１１を表示する。なお、親端末５０１、第１子端末５０２、第２子端末５０３以外の無線端末（例えば、家族以外の者が所有する無線端末）１０１が接続した場合には、共有スケジュール５１１および個人スケジュール５１２との表示を禁止するようにしても良い。
【００６７】
＜全体処理＞
図６は、実施の形態２における全体処理の概要を示す図である。
【００６８】
まず、Ｓ６０１にて、無線端末１０１と表示装置１０５との間の通信が確立する。これによって、無線端末１０１が、表示装置１０５に接続される。
【００６９】
次に、Ｓ６０２にて、表示装置１０５の識別部２０３は、Ｓ６０１にて接続された無線端末１０１の登録順位が１位か否かを判定する。識別部２０３が、無線端末１０１の登録順位が１位でないと判定する場合（Ｓ６０２−Ｎｏ）、Ｓ６０４へ進む。一方、識別部２０３が、Ｓ６０１にて接続された無線端末１０１の登録順位が１位であると判定する場合（Ｓ６０２−Ｙｅｓ）、Ｓ６０３へ進む。
【００７０】
なお、Ｓ６０２にて、識別部２０３が、Ｓ６０１にて接続された無線端末１０１が親端末か否かを識別するようにしても良い。この場合、識別部２０３が、接続された無線端末１０１が親端末でないと判定する場合、Ｓ６０４へ進む。また、識別部２０３が、接続された無線端末１０１が親端末であると判定する場合、Ｓ６０３へ進む。
【００７１】
次に、Ｓ６０３にて、表示制御部２０５は、Ｓ６０１にて接続された無線端末１０１の表示モードとして、フルアクセスモードを設定する。
【００７２】
Ｓ６０２にてＮｏだった場合、Ｓ６０４にて、識別部２０３は、Ｓ６０１にて接続された無線端末１０１の登録順位が予め設定されているＡ（所定順位）以下であるか否かを判定する。識別部２０３が、無線端末１０１の登録順位がＡ以下ではないと判定する場合（Ｓ６０４−Ｎｏ）、Ｓ６０６へ進む。一方、識別部２０３は、無線端末１０１の登録順位がＡ以下であると判定する場合（Ｓ６０４−Ｙｅｓ）、Ｓ６０５へ進む。
【００７３】
なお、Ｓ６０４にて、識別部２０３は、親端末が接続されておらず、第１子端末が接続されているかを識別するようにしても良い。この場合、識別部２０３が、親端末が接続されておらず、第１子端末が接続されていることを識別した場合、Ｓ６０６へ進む。一方、識別部２０３が、親端末および第１子端末が接続されておらず、第２子端末が接続されていると識別した場合、Ｓ６０５へ進む。
【００７４】
次に、Ｓ６０５にて、表示制御部２０５は、Ｓ６０１にて接続された無線端末１０１の表示モードとして、閲覧モードを設定する。
【００７５】
一方、Ｓ６０４にてＮｏだった場合、Ｓ６０６にて、識別部２０３は、Ｓ６０１にて接続された無線端末１０１の表示モードとして、マスクモードを設定する。
【００７６】
なお、実施の形態２では、表示モードとして三つのモードが存在するが、これに限定されることはなく、四つ以上のモードに細分化しても良い。
【００７７】
＜実施の形態２の効果＞
以上説明した本実施の形態２によれば、表示制御部２０５が、識別部２０３により第１の無線端末および第２の無線端末が接続されておらず第３の無線端末が接続されていることが識別された場合に、第１のコンテンツを取得するための入力と、第２のコンテンツを取得するための入力とを受け付けない第３の表示画面を表示部２０６に表示させることで、コンテンツの視聴を制限するのに必要な手間を削減できる。また、必要な手間を削減しつつ、ユーザ毎のサービス提供レベルを細分化して自動で設定できる。
【００７８】
以上、本発明者によってなされた発明を実施の形態に基づき具体的に説明したが、本発明は前記実施の形態に限定されるものではなく、その要旨を逸脱しない範囲で種々変更可能であることはいうまでもない。例えば、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加・削除・置換をすることが可能である。
【００７９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００８０】
１０１…無線端末、１０２…無線通信、１０３…リモコン、１０４…コンテンツサーバ、１０５…表示装置。
【図１】
2020017997.tif 000003
【図２】
2020017997.tif 000004
【図３】
2020017997.tif 000005
【図４】
2020017997.tif 000006
【図５】
2020017997.tif 000007
【図６】
2020017997.tif 000008